(57)【特許請求の範囲】
【請求項１】
対象容器の内側面に即する形状の外縁部を有し、かつ、孔が形成された第１の部材と、
該第１の部材に連結され、少なくとも一部が前記外縁部の略中央部の方向に延出すると共に、前記外縁部の少なくとも一部と対向し同外縁部と近接または遠離可能な縁部を有する第２の部材と、
前記縁部に位置し、前記外縁部との間の距離が前記対象容器の前記内側面と同内側面の反対側の外側面との間の距離より短く形成された挟持部とを備える
容器補助器具。
【請求項２】
前記第１の部材は前記対象容器の内側面から同対象容器の中央側かつ口縁部側に向けて傾斜して配置される
請求項１に記載の容器補助器具。
【請求項３】
前記外縁部、同外縁部の周辺領域及び前記第１の部材と前記第２の部材が連結した領域は弾性材料で形成された
請求項１または請求項２に記載の容器補助器具。
【請求項４】
前記縁部は前記対象容器の側面の上端と接する領域に前記第１の部材と反対側の方向に形成されたくぼみ部または前記第１の部材側の方向に突出した突出部を有する
請求項１、請求項２または請求項３に記載の容器補助器具。
【請求項５】
前記第２の部材は前記外縁部と間隔を隔てて形成された
請求項１、請求項２、請求項３または請求項４に記載の容器補助器具。
【請求項６】
前記第２の部材は前記縁部と前記外縁部が連続した状態で前記第１の部材に連結され、同縁部と同外縁部との間に閉じた間隙部が形成された
請求項１、請求項２、請求項３、請求項４または請求項５に記載の容器補助器具。
【請求項７】
前記第１の部材は、同第１の部材の外縁部の一方の面と同一方の面の反対側である他方の面との間の距離が、同第１の部材の外縁部の内側領域の一方の面と同一方の面の反対側である他方の面との間の距離に比べて狭く形成された
請求項１、請求項２、請求項３、請求項４、請求項５または請求項６に記載の容器補助器具。
【請求項８】
前記第２の部材は前記第１の部材と略同一平面上に位置して連結された
請求項１、請求項２、請求項３、請求項４、請求項５、請求項６または請求項７に記載の容器補助器具。
【請求項９】
前記第１の部材、前記第２の部材及び前記挟持部は、一方の面と同一方の面の反対側である他方の面が略同一に形成された
請求項１、請求項２、請求項３、請求項４、請求項５、請求項６、請求項７または請求項８に記載の容器補助器具。
【請求項１０】
前記第１の部材は前記第２の部材と連結した位置の近傍から前記第２の部材と反対側の方向に向けて切れ込みが形成された
請求項１、請求項２、請求項３、請求項４、請求項５、請求項６、請求項７、請求項８または請求項９に記載の容器補助器具。
【請求項１１】
前記第１の部材は略中央の領域を起点に湾曲可能に形成され、
前記外縁部の少なくとも一部は対向する前記縁部と接して位置する
請求項１、請求項２、請求項３または請求項４に記載の容器補助器具。
【請求項１２】
前記第２の部材は前記第１の部材上の対向する領域に連結され、その端部同士の間に間隙を有し、
前記挟持部は前記第２の部材の端部に形成された
請求項１、請求項２、請求項３または請求項４に記載の容器補助器具。
【請求項１３】
対象容器の内側面に即する形状の外縁部を有し、かつ、多数の孔が形成された弾性基盤と、
該弾性基盤の前記外縁部と対向する縁部を有し、かつ、同外縁部の両端と同縁部の両端とが連続した状態で同弾性基盤に連結されて同外縁部と同縁部との間に閉じた間隙部を形成し、さらに同外縁部の略中央部と同縁部の略中央部との間の距離が、前記対象容器の前記内側面と同内側面の反対側の外側面との間の距離より短い弾性部材とを備える
対象容器を傾けて行なう濾過作業に用いられる濾過補助器具。
【請求項１４】
前記弾性基盤は、同弾性基盤の外縁部付近の一方の面と同一方の面の反対側である他方の面との間の距離が前記外縁部に向けて狭くなる傾斜面を有する
請求項１３に記載の濾過補助器具。
【請求項１５】
対象容器の内側面に即した形状の外縁部を有し、孔が形成された第１の部材を容器の内側面に即した内側と、前記第１の部材に連結され、少なくとも一部が前記外縁部の略中央部の方向に延出すると共に、前記外縁部の少なくとも一部と対向し同外縁部と近接または遠離可能な縁部を有する第２の部材を配置した前記内側と対向する外側で挟持して、濾過補助器具が取り付けられ、濾液と、前記第１の部材と容器底面との間に入れられた濾物とが入った対象容器を傾斜せしめる工程を備える
濾過方法。
【発明の詳細な説明】
【技術分野】
【０００１】
本発明は、容器補助器具、濾過補助器具及び濾過方法に関する。詳しくは、効率よく濾過作業等を行うことができ、使い勝手のよい容器補助器具、濾過補助器具及び濾過方法に係るものである。
【背景技術】
【０００２】
濾過作業とは、固体を含む液体等の混合物について、細かい孔を有する多孔質体を用いて固体と液体等を分離する操作をいう。濾過作業は、科学実験や化学工業で用いられるのをはじめ、日常生活でも行われている。【０００３】
日常生活における濾過作業として、例えば、ペーパーフィルターを用いてコーヒーを入れる作業も濾過の一種である。また、調理の工程においても濾過作業はよく行われるものであり、洗米の水切りや麺類の湯切り等の作業が該当する。【０００４】
ここで、洗米の水切り等の作業は、手作業やざる等の孔を有する容器を用いる方法が一般的である。しかし、大量の対象物を濾過する場合には、手作業では効率が悪く、米や麺等の流出を充分に阻止できないことがある。また、ざる等の孔を有する容器を用いても、容器の容積以上の対象物を濾過できず、やはり効率の悪いものとなる。【０００５】
こうしたなか、洗米の水切り時の濾過作業における効率改善を試みた容器補助器具が存在し、例えば、特許文献１に記載の容器補助器具が提案されている。【０００６】
ここで、特許文献１には、図１２に示すような容器補助器具１００が記載されている。容器補助器具１００は、多数の縦状排水孔１０１が設けられた弾性力を有する半円形状の弾性基盤１０２から構成される。【０００７】
また、弾性基盤１０２の背面には、取付けの対象となる容器１０３の側面の上部を挟持可能なフック式掛止具１０４が設けられている。また、容器１０３への取付け後には、弾性基盤１０２と容器１０３の間に適度な空間が形成される。【０００８】
容器補助器具１００では、弾性基盤１０２の領域で米を受け止められ、水は縦状排水孔１０１から排出される。また、排出される水は、弾性基盤１０２と容器１０３の間に形成された空間へと流れていくものとなっている。
【先行技術文献】
【特許文献】
【０００９】
【特許文献１】特開２００６―６８２６８号公報
【発明の概要】
【発明が解決しようとする課題】
【００１０】
しかしながら、特許文献１に記載の容器補助器具は、弾性基盤の弾性力及びフック式掛止具の挟持力のみで支持される構造となっている。そのため、容器補助器具の支持力が不充分であり、容器を大きく傾けて大量の米の重みによる押圧力がかかった際に外れてしまうことが懸念される。【００１１】
また、弾性基盤と容器の間に形成される空間が狭いため、濾過に必要な空間が充分に確保されたものとはなっていない。大量の水を排出しようとする際には、水の排出が追い付かず、容器の内部側に溢れてしまい、米が流出するおそれがあるものとなっている。【００１２】
また、繰り返しの使用により、フック式掛止具が消耗し、充分に容器を挟持できないことも考えられる。【００１３】
また、特許文献１の記載の容器補助器具では、フック式掛止具の代わりに、弾性基盤の背面に吸着盤を設ける構造も提案されているが、吸着盤で支持する構造としても、前述した不都合が生じる点は同様である。【００１４】
さらに、特許文献１に記載の容器補助器具の構造で、濾過に必要な空間を大きくしようとした場合には、弾性基盤だけでなく、フック式掛止具または吸着盤も大きくする必要が生じる。この結果、器具の取付けや取り外しが煩雑になり、使用後の洗浄等にも手間がかかることとなる。【００１５】
本発明は、以上の点に鑑みて創案されたものであり、効率よく濾過作業等を行うことができ、使い勝手のよい容器補助器具、濾過補助器具及び濾過方法を提供することを目的とする。
【課題を解決するための手段】
【００１６】
上記の目的を達成するために、本発明の容器補助器具は、対象容器の内側面に即する形状の外縁部を有し、かつ、孔が形成された第１の部材と、該第１の部材に連結され、少なくとも一部が前記外縁部の略中央部の方向に延出すると共に、前記外縁部の少なくとも一部と対向し同外縁部と近接または遠離可能な縁部を有する第２の部材と、前記縁部に位置し、前記外縁部との間の距離が前記対象容器の前記内側面と同内側面の反対側の外側面との間の距離より短く形成された挟持部とを備える。【００１７】
ここで、対象容器の内側面に即する形状の外縁部によって、第１の部材と容器の内側面との間に隙間が生じにくいものとすることができる。例えば、濾過作業時に濾物が流出しにくくなる。【００１８】
また、対象容器の内側面に即する形状の外縁部を有する第１の部材と、第１の部材に連結され、少なくとも一部が外縁部の略中央部の方向に延出すると共に、外縁部の少なくとも一部と対向する縁部を有する第２の部材によって、対象容器に容器補助器具を取り付けることが可能となる。即ち、第１の部材と第２の部材の連結した領域を対象容器の側面上部に引っ掛けて、容器補助器具を支持することが可能となる。更に、対象容器の側面が、外縁部と縁部の間に挟まれることとなり、容器補助器具が対象容器に固定される。【００１９】
また、少なくとも一部が外縁部の略中央部の方向に延出した第２の部材によって、第２の部材を容器側面の外周面に沿わせ易くなる。即ち、例えば、略円形の外周面を有する容器に対して、容器補助器具を取り付けた際に、その円周上の曲面に第２の部材を沿わせることができ、取付け時の安定性を高めることができる。【００２０】
また、外縁部と近接または遠離可能な縁部によって、対象容器に容器補助器具を取り付ける易くなる。即ち、容器取り付け前の外縁部と縁部が近接した状態から、遠離させることで、容器側面を挟む際の空間を大きく形成することができる。【００２１】
また、対象容器の内側面に即する形状の外縁部を有する第１の部材と、第１の部材に連結され、外縁部の少なくとも一部と対向する縁部を有する第２の部材によって、濾過作業のための空間を対象容器内に形成することができる。即ち、容器補助器具が対象容器に取り付けられ、第１の部材が容器の内側面に即して位置することで、第１の部材を境界として、濾物を確保する空間と、濾液を排出する空間を分けることができる。更に、対象物を容器内で保持する空間を容器内に形成することができる。即ち、第１の部材を境界として、容器側面と第１の部材の間に空間が形成される。例えば、お湯の入った容器内で、この空間に味噌を保持させることで味噌こしきの役割を持たせることができる。なお、ここでいう濾過作業のための空間とは、濾物が確保される空間と濾液が排出される空間の両方を意味する。【００２２】
また、孔が形成された第１の部材によって、濾液の排出が可能となる。即ち、濾過作業時には、孔を介して濾液が流れ出ていく構造となる。【００２３】
また、対象容器の内側面に即する形状の外縁部を有する第１の部材と、縁部に位置し、外縁部との間の距離が対象容器の内側面と内側面の反対側の外側面との間の距離より短く形成された挟持部によって、濾物が流出しにくいものとすることができる。即ち、挟持部の位置で、外縁部と縁部の間に対象容器の側面がしっかりと挟まれ、容器と第１の部材との間に隙間が生じにくいものとなる。更に、容器補助器具を対象容器に強固に取り付けることが可能となる。即ち、本来の形状から、外縁部と縁部の位置ずれが生じ、元に戻ろうとする復元力が働き、対象容器の側面が挟持される。【００２４】
また、対象容器の内側面に即する形状の外縁部を有する第１の部材と、第１の部材に連結され、外縁部の少なくとも一部と対向する縁部を有する第２の部材と、縁部に位置し、外縁部との間の距離が対象容器の内側面と内側面の反対側の外側面との間の距離より短く形成された挟持部によって、容器補助器具を対象容器に強固に取り付けることが可能となる。例えば、容器補助器具を取り付けて濾過作業を行う際に、挟持部と対応する位置の外縁部の水平視の高さ位置が挟持部よりも低くなるように取り付ける。【００２５】
この場合、対象容器を傾けて濾過を行うと、容器への取付けにより形状が変化した第１の部材に対して、濾物の重みが押圧力として働き、第１の部材の形状を元に戻そうとする。即ち、対象容器の側面を挟持する力に濾物の押圧力が加わることとなり、結果、容器補助器具が濾過作業時に外れにくいものとなる。【００２６】
また、第１の部材が対象容器の内側面から対象容器の中央側かつ口縁部側に向けて傾斜して配置される場合には、第１の部材で対象容器の内部の空間を仕切ることとなり、濾過のための空間を大きく形成することができる。【００２７】
また、外縁部と外縁部の周辺領域が弾性材料で形成された場合には、外縁部が対象容器の内側面の形状に合わせて変形しやすくなり、より一層、濾物が流出しにくい構造とすることができる。更に、より多様な側面形状を有する容器に対して容器補助器具が使用可能となる。【００２８】
また、第１の部材と第２の部材が連結した領域が弾性材料で形成された場合には、取付け時の第１の部材の第２の部材に対する可動域が広がり、より一層、対象容器に容器補助器具を取り付けやすくなる。【００２９】
また、縁部が対象容器の側面の上端と接する領域に第１の部材と反対側の方向に形成されたくぼみ部または第１の部材側の方向に突出した突出部を有する場合には、くぼみ部または突出部を容器側面の上端にひっかけることで、容器補助器具を対象容器に取り付けた際の安定性を高めることができる。即ち、例えば、容器側面の上端に段差のついたふちを有する容器にくぼみ部または突出部を引っ掛けて、濾過時に濾物の重みがかかった時にも外れにくくすることができる。なお、ここでくぼみ部は、段差のついたふちの上方から嵌まる部分であり、突出部は、段差のついたふちに対して下方から当接する部分である。【００３０】
また、第２の部材が外縁部と間隔を隔てて形成された場合には、容器補助器具を対象容器に取り付け易くなる。即ち、間隔が形成された領域に容器側面の上端部分を通し、第１の部材を容器の底面方向に押し込むだけで、容易に器具を取り付けることが可能となる。【００３１】
また、第２の部材が縁部と外縁部が連続した状態で第１の部材に連結され、縁部と外縁部との間に閉じた間隙部が形成された場合には、第１の部材と第２の部材が完全に繋がった形状となり、容器補助器具の強度を向上させることができる。【００３２】
また、挟持部が縁部の外縁部の略中央部と対応する位置を起点に所定の距離を有する略対称な位置に形成された場合には、外縁部の略中央部付近の縁部との間の間隙が広く形成されることとなる。この結果、広い間隙の部分に容器側面の上端部分を通し、第１の部材を容器の底面方向に押し込むだけで、容易に器具を取り付けることが可能となる。【００３３】
また、第１の部材の、第１の部材の外縁部の一方の面と同一方の面の反対側である他方の面との間の距離が、第１の部材の外縁部の内側領域の一方の面と同一方の面の反対側である他方の面との間の距離に比べて狭く形成された場合には、外縁部の弾性率がその内側の領域に比べて下がることになる。即ち、外縁部が対象容器の内側面の形状に合わせて変形しやすくなり、より一層、濾物が流出しにくい構造とすることができる。更に、より多様な側面形状を有する容器に対して容器補助器具が使用可能となる。【００３４】
また、第２の部材が第１の部材と略同一平面上に位置して連結された場合には、容器補助器具の全体が略平坦な構造となる。この結果、器具の体積が小さくなり、持ち運びに便利な形態となる。【００３５】
また、第１の部材、第２の部材及び挟持部が、一方の面と同一方の面の反対側である他方の面が略同一に形成された場合には、容器補助器具は表裏が略同一な形状となる。即ち、どちらの面を上にしても使用可能となる。また、表裏の両面が使用可能なため、容器補助器具の耐久性を向上させることができる。【００３６】
また、第１の部材が第２の部材と連結した位置の近傍から第２の部材と反対側の方向に向けて切れ込みが形成された場合には、第１の部材の切れ込みが形成された領域周辺の可動域が広がり、より一層、対象容器に容器補助器具を取り付けやすくなる。【００３７】
また、第１の部材が略中央の領域を起点に湾曲可能に形成され、外縁部の少なくとも一部が対向する縁部と接して位置する場合には、外縁部と縁部が接する領域で対象容器の側面を挟持可能となる。【００３８】
また、第１の部材が略中央の領域を起点に湾曲可能に形成された場合には、外縁部が対象容器の内側面の形状に合わせて変形しやすくなり、より一層、濾物が流出しにくい構造とすることができる。更に、より多様な側面形状を有する容器に対して容器補助器具が使用可能となる。【００３９】
また、第２の部材が第１の部材上の対向する領域に連結され、その端部同士の間に間隙を有し、挟持部が第２の部材の端部に形成された場合には、対象容器の側面上端に第２の部材の端部を引っ掛けて取り付けることとなり、容器補助器具を容器に取り付けやすいものとすることができる。【００４０】
また、上記の目的を達成するために、本発明の濾過補助器具は、対象容器の内側面に即する形状の外縁部を有し、かつ、多数の孔が形成された弾性基盤と、該弾性基盤の前記外縁部と対向する縁部を有し、かつ、同外縁部の両端と同縁部の両端とが連続した状態で同弾性基盤に連結されて同外縁部と同縁部との間に閉じた間隙部を形成し、さらに同外縁部の略中央部と同縁部の略中央部との間の距離が、前記対象容器の前記内側面と同内側面の反対側の外側面との間の距離より短い弾性部材とを備える。【００４１】
ここで、対象容器の内側面に即する形状の外縁部によって、弾性基盤と容器の内側面との間に隙間が生じにくいものとすることができる。例えば、濾過作業時に濾物が流出しにくくなる。【００４２】
また、対象容器の内側面に即する形状の外縁部を有する弾性基盤と、弾性基盤の外縁部と対向する縁部を有し、かつ、外縁部の両端と縁部の両端とが連続した状態で弾性基盤に連結されて外縁部と縁部との間に閉じた間隙部を形成した弾性部材によって、濾過作業のための空間を対象容器内に形成することができる。即ち、濾過補助器具が対象容器に取り付けられ、弾性部材が容器の内側面に即して位置することで、弾性部材を境界として、濾物を確保する空間と、濾液を排出する空間を分けることができる。【００４３】
また、対象容器の内側面に即する形状の外縁部を有する弾性基盤と、弾性基盤の外縁部と対向する縁部を有し、かつ、外縁部の両端と縁部の両端とが連続した状態で弾性基盤に連結され、外縁部の略中央部と縁部の略中央部との間の距離が、対象容器の内側面と内側面の反対側の外側面との間の距離より短い弾性部材によって、濾物が流出しにくいものとすることができる。即ち、外縁部と縁部の間の距離が、容器側面の距離より短い領域の位置で、外縁部と縁部の間に対象容器の側面がしっかりと挟まれ、容器と弾性基盤との間に隙間が生じにくいものとなる。更に、濾過補助器具を対象容器に強固に取り付けることが可能となる。即ち、本来の形状から、外縁部と縁部の位置ずれが生じ、元に戻ろうとする復元力が働き、対象容器の側面が挟持される。【００４４】
また、弾性基盤が、弾性基盤の外縁部付近の一方の面と同一方の面の反対側である他方の面との間の距離が外縁部に向けて狭くなる傾斜面を有する場合には、外縁部の弾性率がその周辺領域に比べて下がることになる。即ち、外縁部が対象容器の内側面の形状に合わせて変形しやすくなり、より一層、濾物が流出しにくい構造とすることができる。【００４５】
また、上記の目的を達成するために、本発明の容器補助器具は、対象容器の内側面に即する形状の外縁部を有し、かつ、孔が形成され、同対象容器の内側に配置される第１の部材と、該第１の部材に連結され、前記外縁部の少なくとも一部と対向し同外縁部と近接または遠離可能な縁部を有する第２の部材と、前記縁部に位置し、前記外縁部との間の距離が前記対象容器の前記内側面と同内側面の反対側の外側面との間の距離より短く形成された挟持部とを備える。【００４６】
ここで、対象容器の内側面に即する形状の外縁部を有し、かつ、孔が形成され、対象容器の内側に配置される第１の部材によって、第１の部材で対象容器の内部の空間を仕切ることとなり、濾過のための空間を大きく形成することができる。【００４７】
また、上記の目的を達成するために、本発明の濾過方法は、対象容器の内側面に即した形状の外縁部を有し、孔が形成された第１の部材を容器の内側面に即した内側と、第１の部材に連結され、少なくとも一部が外縁部の略中央部の方向に延出すると共に、外縁部の少なくとも一部と対向し外縁部と近接または遠離可能な縁部を有する第２の部材を配置した内側と対向する外側で挟持して、濾過補助器具が取り付けられ、濾液と、前記第１の部材と容器底面との間に入れられた濾物とが入った対象容器を傾斜せしめる工程を備える。【００４８】
ここで、対象容器の内側面に即した形状の外縁部を有し、孔が形成された第１の部材を容器の内側面に即した内側と、第１の部材に連結され、少なくとも一部が外縁部の略中央部の方向に延出すると共に、外縁部の少なくとも一部と対向し外縁部と近接または遠離可能な縁部を有する第２の部材を配置した内側と対向する外側で挟持して、濾過補助器具が取り付けられたことによって、第１の部材と第２の部材で対象容器の側面を内外から挟持することができる。即ち、濾過補助器具を外れにくくして、濾過を行うことができる。【００４９】
また、孔が形成された第１の部材を有する濾過補助器具が取り付けられ、濾液と、第１の部材と容器底面との間に入れられた濾物とが入った対象容器を傾斜せしめる工程によって、第１の部材で対象容器の内部に濾物を保持しつつ、孔から濾液を排出して濾過を行うことができる。
【発明の効果】
【００５０】
本発明に係る容器補助器具は、効率よく濾過作業等を行うことができ、使い勝手のよいものとなっている。
また、本発明に係る濾過補助器具は、効率よく濾過作業等を行うことができ、使い勝手のよいものとなっている。
また、本発明に係る濾過方法は、効率よく濾過作業等を行うことができ、使い勝手のよいものとなっている。
【図面の簡単な説明】
【００５１】
【図１】仕切り器具の概略平面図である。
【図２】非連続の縁部を有する仕切り器具の概略平面図である。
【図３】基盤外縁部の略中央部と縁部が近接した仕切り器具の概略平面図である。
【図４】仕切り器具１を容器に取り付けた状態の概略図（ａ）及びその状態の側面から見た概略断面図（ｂ）である。
【図５】濾過作業時に容器を傾けた状態を側面から見た概略断面図である。
【図６】略角柱状の容器用の仕切り器具を示した概略平面図（ａ）及び仕切り器具の取付け状態を示した概略図（ｂ）である。
【図７】引っ掛ける部分にくぼみを形成した仕切り器具の概略平面図（ａ）及び引っ掛ける部分に突出部を形成した仕切り器具の概略平面図（ｂ）である。
【図８】側面上端に段差のあるふちを持つ鍋を示す概略図（ａ）及びくぼみを形成した仕切り器具を取り付けた状態を示す概略図（ｂ）である。
【図９】容器挟持部に対応するへこみ部を有する仕切り器具を示す概略図である。
【図１０】濾物洗浄用の孔を有する仕切り器具を示す概略図である。
【図１１】湾曲可能な基盤を有する仕切り器具を示す概略図である。
【図１２】従来の容器補助器具を示した概略図である。
【発明を実施するための形態】
【００５２】
以下、本発明の実施の形態について図面を参照しながら説明し、本発明の理解に供する。
図１は、本発明を適用した容器補助器具の概略平面図である。図２は、非連続の縁部を有する仕切り器具の概略平面図である。
【００５３】
図１に示すように、本発明を適用した容器補助器具または濾過補助器具の一例である仕切り器具１は、基盤２と、外片部３を備えている。また、基盤２と外片部３は連結部４で連結されている。
【００５４】
基盤２は容器に取り付けた際に、容器内部の空間に位置し、容器内部の濾過のための空間を形成する。また、容器側面との間の空間で味噌等の対象物を保持する部分にもなる。また、基盤２の外片部３と対向する端部が基盤外縁部５となっている。
【００５５】
また、基盤２と基盤外縁部５は弾性部材で一体形成されている。また、基盤外縁部５は対象容器の内側面に即する部分である。また、基盤外縁部５の表裏面の厚みは、基盤２のその他の部分の表裏面の厚みよりも薄く形成されている。
【００５６】
また、基盤２及び基盤外縁部５には、複数の円形の孔６が設けられている。濾過作業時には、孔６を介して濾液が容器の外部に排出される。また、基盤２と外片部３を繋ぐ連結部４の部分は弾性部材で形成されている。
【００５７】
また、基盤２の連結部４近傍の領域には、基盤外縁部５側から基盤２の内側に向けて切れ込み７が形成されている。切れ込み７により、基盤２の外部片３に対する表面側方向及び裏面側方向への動きの可動域が大きくなる。
【００５８】
また、切れ込み７の端部には円形の端部孔８が形成されている。端部孔８は、仕切り器具１を容器に取り付ける際に、基盤２の切れ込み７が設けられた領域にかかる負荷を軽減する部分となる。
【００５９】
また、連結部４の一部は引っ掛かり部１５となっており、仕切り器具１を容器に取り付けた際に、容器側面の上端と接して、容器が仕切り器具１を支持する部分となっている。
【００６０】
ここで、必ずしも、基盤２と基盤外縁部５は弾性部材で一体形成される必要はない。例えば、基盤外縁部５に対応する部分を弾性部材で形成し、別体の基盤２と接合した構造も採用しうる。
【００６１】
また、基盤２及び基盤外縁部５の形状は特に限定されるものではなく、対象容器の内側面に即する形状のものであれば充分である。例えば、円柱状の鍋や半球体のボウルなど丸みのある側面を有する容器に使用するものであれば、基盤２及び基盤外縁部５の形状は、図１に示すような略半円形の形状が取り付けやすいものとなる。
【００６２】
また、必ずしも、基盤外縁部５の表裏面の厚みが、基盤２のその他の部分の表裏面の厚みよりも薄く形成される必要はない。但し、基盤外縁部５の弾性率が下がり、基盤外縁部５と容器側面の間に隙間が生じにくくなる点から、基盤外縁部５の表裏面の厚みが、基盤２のその他の部分の表裏面の厚みよりも薄く形成されることが好ましい。
【００６３】
また、基盤外縁部５の弾性率が下がることで取付け可能な側面形状が広がり、仕切り器具１の汎用性が高まる点から、基盤外縁部５の表裏面の厚みが、基盤２のその他の部分の表裏面の厚みよりも薄く形成されることが好ましい。
【００６４】
また、基盤外縁部５の弾性率を下げる構造として、基盤外縁部５の厚みを一定にする必要はなく、基盤２の内側から基盤外縁部５側に向けて徐々に表裏面の厚みが薄くなる構造とすることもできる。
【００６５】
また、孔６の形状、数及び形成される位置は特に限定されるものではなく、濾過作業時に対象となる濾物が流出しない大きさであり、濾液が効率よく流れていくものであれば充分である。例えば、円形以外の角型形状や不定形の形状であってもよく、同一の多角形を並べたハニカム構造様の形状も採用しうる。また、孔の大きさを変えずに濾紙等を併用する構造も考えられる。
【００６６】
また、必ずしも、基盤２の連結部４近傍の領域に、基盤外縁部５側から基盤２の内側に向けて切れ込み７が形成される必要はない。但し、基盤２の可動域が広がり、対象容器に仕切り器具１が取り付けやすくなる点、及び、不特定の側面形状を有する容器への適合性が高まる点から、基盤２の連結部４近傍の領域に、基盤外縁部５側から基盤２の内側に向けて切れ込み７が形成されることが好ましい。
【００６７】
また、切れ込み７に関しては、その形状や設けられる位置、数が図１に記載の内容に限定されるものではない。例えば、容器の内側面に即する基盤外縁部５の領域に、切れ込みを複数設けて、より一層、不特定の側面形状を有する容器への適合性を高めることもできる。
【００６８】
また、必ずしも、切れ込み７の端部に円形の端部孔８が形成される必要はない。但し、仕切り器具１を容器に取り付ける際の形状変化に応じた基盤２にかかる負荷が軽減される点から、切れ込み７の端部に円形の端部孔８が形成されることが好ましい。
【００６９】
また、連結部４の形状は、図１に示す引っ掛かり部１５を有する形状に限定されるものではなく、仕切り器具１が、基盤２及び外片部３の間に容器側面を挟める形状となっていれば充分である。
【００７０】
図１に示すように、外片部３の基盤外縁部５と対向する端部が縁部９となっている。基盤外縁部５と縁部９の間には、容器に取付けた際に容器側面が位置することになる間隙１０が形成されている。縁部９は、２つの連結部４の間に連続して形成されている。
【００７１】
また、縁部９には、基盤外縁部５との間隔が狭小となった容器挟持部１１が２つ設けられている。容器挟持部１１は、縁部９の基盤外縁部５の略中央部と対応する位置から等距離離れた位置に設けられている。
【００７２】
また、間隙１０のうち基盤外縁部５と容器挟持部１１との間の間隙１２の距離は、対象容器の側面の内外間の距離、即ち、容器側面の厚みよりも小さくなっている。この間隙１２の位置で、容器の側面が基盤外縁部５及び容器挟持部１１に挟持されている。
【００７３】
また、間隙１０のうち、２つの容器挟持部１１の間の部分にあたる間隙１３は、間隙１２よりも広く、基盤外縁部５の中央部分に形成されている。また、外片部３の一部１４は略直線状に形成されている。
【００７４】
また、仕切り器具１は、表面と裏面が略同一の形状となるように形成されている。また、基盤２及び外片部３は同一平面上に位置し、仕切り器具１を側面から見た際に、薄い板状体に見える構造となっている。
【００７５】
ここで、必ずしも、縁部９が２つの連結部４の間に連続して形成される必要はない。但し、基盤２及び外片部３が完全に繋がった形状となり、仕切り器具１の強度が向上する点から、縁部９が２つの連結部４の間に連続して形成されることが好ましい。
【００７６】
縁部の形状として、例えば、図２に示すような、基盤外縁部１８の中央部分に対応する領域に間隙が有する、即ち、非連続の縁部１６の形状も採用しうる。図２に示す仕切り器具１７では、縁部１６の端部に基盤外縁部１８との間隔が狭小となった容器挟持部１９が形成されている。
【００７７】
仕切り器具１７は、基盤外縁部１８の中央部分に対応する領域に間隙を有するため、容器挟持部１９の部分から容器側面に器具を取り付けやすい構造となっている。
【００７８】
図１に示す仕切り器具１の構造について、縁部９の基盤外縁部５との間隔が狭小となった容器挟持部１１の数及び形成される位置は特に限定されるものではない。基盤外縁部５と容器挟持部１１との間の距離が対象容器の側面の内外間の距離よりも小さくなった領域が、少なくとも縁部上の一部に形成されれば充分である。但し、基盤外縁部５の中央部分に形成される間隙が広くなり、仕切り器具１の容器への取付けが容易になる点から、容器挟持部１１が縁部９の基盤外縁部５の略中央部と対応する位置から等距離離れた位置に設けられることが好ましい。
【００７９】
また、必ずしも、外片部３の一部１４が略直線状に形成される必要はない。但し、濾過作業時に容器を床面に対して略垂直に傾けた際に、外片部３の一部１４で容器を支持可能となる点から、外片部３の一部１４が略直線状に形成されることが好ましい。なお、この点は、後述の仕切り器具１の使用方法において説明する。
【００８０】
また、必ずしも、仕切り器具１が、表面と裏面が略同一の形状となるように形成される必要はない。但し、両面ともに使用可能となる点、及び、仕切り器具１の耐久性を向上させることができる点から、仕切り器具１が、表面と裏面が略同一の形状となるように形成されることが好ましい。
【００８１】
また、必ずしも、基盤２及び外片部３が同一平面上に位置する必要はない。但し、仕切り器具１の体積が小さくなり、持ち運びに便利になる点、及び、使用後の洗浄や保管がしやすくなる点から、基盤２及び外片部３が同一平面上に位置することが好ましい。
【００８２】
続いて、本発明を適用した容器補助器具または濾過補助器具の別の実施の態様について説明する。
図３は、基盤外縁部の略中央部と縁部が近接した仕切り器具の概略平面図である。
【００８３】
図３に示すように、仕切り器具２０は、基盤２と、外片部２１を備えている。また、基盤２と外片部２１は連結部４で連結されている。なお、基盤２、連結部４、基盤外縁部５、孔６、切れ込み７、端部孔８、引っ掛かり部１５については、仕切り器具１の構造と同様であるので説明を省略する。
【００８４】
外片部２１の基盤外縁部５と対向する端部が縁部２２となっている。基盤外縁部５と縁部２２の間には、容器に取付けた際に容器側面が位置することになる間隙２３が形成されている。縁部２２は、２つの連結部４の間に連続して形成されている。
【００８５】
また、縁部２２の基盤外縁部５の略中央部２４と対応する部分に、基盤外縁部５との間隔が狭小となった容器挟持部２５が設けられている。
【００８６】
また、間隙２３のうち、基盤外縁部５と容器挟持部２５との間の間隙２６の距離は、対象容器の側面の内外間の距離、即ち、容器側面の厚みよりも小さくなっている。この間隙２６の位置で、容器の側面が基盤外縁部５及び容器挟持部２５に挟持されている。また、外片部２１の一部２７は略直線状に形成されている。
【００８７】
また、仕切り器具２０は、表面と裏面が略同一の形状となるように形成されている。また、基盤２及び外片部２１は同一平面上に位置し、仕切り器具２０を側面から見た際に、薄い板状体に見える構造となっている。
【００８８】
仕切り器具２０のように、基盤外縁部５の略中央部２４の位置で対象容器の側面を挟持する構造も、本発明を適用した容器補助器具または濾過補助器具の一例として考えられる。
【００８９】
以下、本発明を適用した容器補助器具または濾過補助器具の使用方法について図面を参照しながら説明し、本発明の理解に供する。
図４は、仕切り器具１を容器に取り付けた状態の概略図（ａ）及びその状態の側面から見た概略断面図（ｂ）である。図５は、濾過作業時に容器を傾けた状態を側面から見た概略断面図である。
【００９０】
図４（ａ）に示すように、略円柱状の容器２８に仕切り器具１が取り付けられる。
【００９１】
まず、容器２８への仕切り器具１の取付け時には、基盤２の上方部付近３０を持ち、容器２８の側面上端２９の一部を間隙１３の位置に併せる。この際、間隙１３に対応する位置の基盤外縁部５を容器２８の内側面にあてる。同時に容器挟持部１１の一方を容器２８の外側面にあてる。
【００９２】
次に、基盤２の上方部付近３０を持ち、基盤２を容器２８の内部に押し込むことで、容器２８の内側面に対して基盤外縁部５が即した状態となる。また、容器２８の外側面に２つの容器挟持部１１が当接する。また、容器２８の側面上端２９には、引っ掛かり部１５が引っ掛かることとなる。
【００９３】
上記の手順で仕切り器具１の取付けが完了する。この作業により、容器２８の側面が、基盤外縁部５及び容器挟持部１１に挟まれた状態となる。また、容器２８の内側面に基板外縁部５が即した状態となり、内側面と基盤２の間は、ほぼ隙間のない構造となる。なお、取付け時の作業は、片手でも簡単に行うことができる。
【００９４】
また、図４（ｂ）に示すように、容器２８の内部の空間は基板２によって仕切られ、濾過のための空間が形成される。
【００９５】
また、容器２８の内部に基板２を押し込むと、基盤外縁部５が内側面にあたる位置３１と、容器挟持部１１が外側面にあたる位置３２が異なる状態となる。即ち、取付け前の状態では同一平面上に位置する基板外縁部５と容器挟持部１１に位置ずれが生じる。
【００９６】
この際、基盤２が、位置がずれた状態から、元の形状に戻ろうとする際の復元力、及び、連結部４の弾性部材の復元力が働き、容器２８の側面はこれらの復元力によって挟持される。
【００９７】
また、前述したように、図５には濾過作業時の様子を示している。
【００９８】
図５に示すように、容器２８の内部には、濾過作業の対象物として、濾物である米３３及び濾液である水３４が入っている。また、米３３は、容器２８の内部の空間のうち、容器２８の底面と基盤２の間の空間側に入れられている。
【００９９】
また、濾過作業時には、仕切り器具１を取り付けた容器２８を、容器挟持部１１の方向に傾けて濾過を行う。容器２８の傾きに伴い、米３３は基板２に設けられた複数の孔６を通ることができず、基盤２によって保持される。
【０１００】
一方、水３４は孔６を通過可能であり、基盤２を通り抜けて、容器２８の開口部側へ流れ、容器２８から排出される。
【０１０１】
この際、基盤２に米３３が保持されることで、米３３の重みが押圧力として働き、基盤２が容器２８の開口部側へ押されることとなる。この結果、容器２８の側面を挟持する力が強くなり、仕切り器具１は濾過作業時に容器２８から外れにくくなる。
【０１０２】
また、図５では、容器２８を床面（図示せず）に対して略垂直になる位置まで容器２８を傾けているが、略直線状に形成された外片部３の一部１４が容器２８を支持する状態となる。外片部３の一部１４と容器側面の上端部により容器２８を支持し、手を使わずに傾斜状態を確保するが可能となる。なお、容器２８の傾斜状態の確保は、任意の物体を容器２８と床面との間に配置して行うことも可能である。
【０１０３】
また、仕切り器具１の容器２８からの取り外しは、外片部３の一部１４付近を持ち、上方に動かして取り外しができる。このように、仕切り器具１の取付け及び取り外しは、容器２８や濾過の対象物に手で触れることなく容易に行えるものとなっている。
【０１０４】
ここで、仕切り器具１の容器２８への取付け方法は特定の方法に限定されるものではなく、容器２８の内側面に即した基板外縁部５と、容器２８の外側面に接した外片部３で容器２８の側面を挟持できるものであれば充分である。
【０１０５】
また、濾過対象物が米と水に限定されるものではなく、麺の湯切り等にも用いることができる。また、調理用途だけでなく、工業的用途にも利用可能である。例えば、ドラム缶等で機械部品を洗浄液に浸漬して洗浄を行う際に、洗浄後の部品と洗浄液の分離にも、大きさと形状を対応させた仕切り器具を用いることができる。
【０１０６】
また、ここでは、濾過作業に限定して使用方法の説明を行ったが、本発明品は濾過作業の用途に限定されるものではない。前述したが、例えば、お湯が入った容器２８の内部の空間を基板２で仕切り、容器２８の開口部側と基盤２の間の空間に味噌を入れ、基盤２に味噌を保持させる。これにより、味噌こしきの役割を持たせることも可能である。
【０１０７】
また、上記のように、容器２８の開口部側と基盤２の間の空間に対象物を入れる用途の際には、基盤２と外片部３の間の距離を変えて、容器２８の側面に基盤外縁部５があたる位置と、容器挟持部１１があたる位置を図４（ｂ）に示す位置関係とは逆にすることも考えられる。
【０１０８】
この場合、容器２８の側面において、容器挟持部１１があたる位置が、基盤外縁部５があたる位置よりも低くなる。容器２８の側面が基盤外縁部５及び容器挟持部１１により挟持され、基盤２に保持された対象物の重みが押圧力となって、挟持する力が強くなる。
【０１０９】
また、本発明を適用した容器補助器具または濾過補助器具は、略角柱状等の対象容器に使用することも可能である。
図６は、略角柱状の容器用の仕切り器具を示した概略平面図（ａ）及び仕切り器具の取付け状態を示した概略図（ｂ）である。
【０１１０】
図６（ａ）に示すように、仕切り器具３５は、略三角形状の基盤３６と、それに付随する形状の外片部３７を有している。図６（ｂ）に示すように、略四角柱状の容器３８に対して、基盤３６を容器３８の内部に押し込み、仕切り器具３５を取り付けることが可能である。
【０１１１】
また、本発明を適用した容器補助器具または濾過補助器具が、対象容器専用の付属物として利用される場合には、容器側の形状を対応させて取り付けることも可能である。
【０１１２】
また、本発明を適用した容器補助器具または濾過補助器具の更なる別の実施の態様について説明する。
図７は、引っ掛ける部分にくぼみを形成した仕切り器具の概略平面図（ａ）及び引っ掛ける部分に突出部を形成した仕切り器具の概略平面図（ｂ）である。図８は、側面上端に段差のあるふちを持つ鍋を示す概略図（ａ）及びくぼみを形成した仕切り器具を取り付けた状態を示す概略図（ｂ）である。
【０１１３】
図７（ａ）に示す仕切り器具３９は、左右の引っ掛かり部１５にくぼみ４０が形成されている。また、図７（ｂ）に示す仕切り器具４１は、左右の引っ掛かり部１５に突出部４２が形成されている。なお、くぼみ４０及び突出部４２以外の構造は、前述した仕切り器具１の構造と同様であるため説明を省略する。
【０１１４】
くぼみ４０及び突出部４２は、各仕切り器具を対象容器に取り付けた際に、容器側面の上端に引っ掛かり、取付け状態を安定化させるための構造である。これらの仕切り器具は、例えば、図８（ａ）に示すような構造の鍋４３に利用することができる。
【０１１５】
鍋４３は、その上端部分に段差４４のついたふち４５を有する形状となっている。鍋４３のふち４５に対しては仕切り器具３９のくぼみ４０が、段差４４に対しては仕切り器具４１の突出部４２が、それぞれ嵌合するものとなっている。
【０１１６】
図８（ｂ）に示すように、仕切り器具３９を鍋４３に取り付けると、くぼみ４０の領域にふち４５が嵌合する。こうなることで、濾過時にくぼみ４０の部分で鍋４３が把持され、仕切り器具３９が外れにくくなる。
【０１１７】
また、図示しないが、鍋４３に仕切り器具４１を取り付けると、突出部４２が段差４４の部分に引っ掛かる。やはり、この部分で濾過時に突出部４２の部分で鍋４３が把持され、仕切り器具３９が外れにくくなる。なお、突出部４２を設けた構造では、実体のある部分の面積が大きくなることから、取付け時の強度が向上するものとなる。
【０１１８】
このように、くぼみまたは突出部を引っ掛かり部に設けることで、濾過時の仕切り器具の安定性を、より一層高めることができるものとなっている。
【０１１９】
また、別の実施の形態として、図９に示す仕切り器具４６が存在する。仕切り器具４６は、前述した仕切り器具１に比べ、濾過のための孔６の数が多くなっている。また、リブ４７を設けて、強度が向上した構造となっている。更に、前述したくぼみ４０も設けられている。
【０１２０】
また、仕切り器具４６では、基盤４８のうち、容器挟持部４９と対応する部分に微小なへこみ部５０が設けられている。このへこみ部５０の分、容器挟持部４９を基盤４８側に突出させることができる。これにより、仕切り器具４６を対象容器に取り付けた際の、基盤４８と容器挟持部４９を有する外片部との間の位置ずれが大きくなり、容器を挟持する力を高めることができる。なお、へこみ部５０のへこみの大きさ、即ち、基盤４８の内側へ入り込む距離は、孔６の直径以下であることが好ましい。へこみの大きさが孔６の直径より大きくなると、対象とする濾物がへこみ部５０から流出してしまうおそれがあるためである。
【０１２１】
このように仕切り器具４６では、へこみ部５０を設けて容器を挟持する力を高めるものとなっている。
【０１２２】
また、図１０に示す仕切り器具５１では、基盤５２の上方部分に濾物洗浄用の孔５３が複数設けられている。この濾物洗浄用の孔５３が形成された領域は、濾過時に濾物がくっつきやすい領域である。例えば、洗米作業に仕切り器具５１を用いて水を濾過すると、傾斜して水を流した際に、米がくっつくことがある。
【０１２３】
この際、容器を傾斜させたままで、米がくっついた濾物洗浄用の孔５３に向けて、水道水を流すことで、米は容器内部に戻りつつ、水は濾物洗浄用の孔５３を介して、容器の外側方向に流れていくこととなる。このように、濾過時の煩わしさを減らすことが可能な構造となっている。
【０１２４】
また、仕切り器具５１は、楕円５４及び楕円５５で囲んだ領域及びその部分に対応する反対側の領域、即ち、平面視で左右対称となる部分が、その他の部分に比べて厚みのある構造となっている。ここを厚くすることで、容器に取り付けた際の挟持する力が高まるものとなっている。なお、図１０には、厚みの差を示す例として、楕円５５とその他の部分である楕円５６の領域を示した断面図を示している。
【０１２５】
このように仕切り器具５１では、部分的に厚みを大きくすることで容器を挟持する力を高めるものとなっている。
【０１２６】
また、図１１に示す仕切り器具５７は、間隙５８の領域を除いて、基盤外縁部５９と縁部６０がほぼ接した構造となっている。また、基盤６１は、中央部分６２と上部側の領域６３が厚く、基盤外縁部５９を含むその他の領域６４が薄く湾曲可能に形成されている。なお、図１１には、厚みの差を示す例として、中央部分６２の位置での断面図を示している。
【０１２７】
仕切り器具５７は、基盤外縁部５９を含むその他の領域６４が湾曲可能なため、前述した仕切り器具１のように、基盤外縁部と縁部の間に適度な間隙がなくとも、容器側面に取り付け可能な構造となっている。また、基盤６１は、中央部分６２と上部側の領域６３が厚いことで、強度と取付け時の安定性を持たせている。
【０１２８】
また、仕切り器具５７は、基盤６１に深めの切れ込み６５が設けられている。そのため、基盤２の稼働域が大きくなり、領域６４が湾曲することと併せて、容器側面の形状への適合性が高い構造となっている。
【０１２９】
また、仕切り器具５７は、前述した、くぼみ部４０が設けられている。くぼみ部４０は、容器側面の上端と嵌合し、取付け時の安定性を高めるものである。仕切り器具５７は、基盤６１の広範な領域が薄い形状であるため、くぼみ部４０が、取付時や濾過時の挟持力に大きく寄与する。
【０１３０】
このように仕切り器具５７は、容器側面への適合性が向上したものとなっている。
【０１３１】
以上のように、本発明を適用した容器補助器具、濾過補助器具及び濾過方法は、対象容器の内部に充分な濾過のための空間を形成することができるものとなっている。また、濾物の流出を阻止しやすいものとなっている。
【０１３２】
また、本発明を適用した容器補助器具及び濾過補助器具は、濾過作業時等においても外れにくく、大量の濾過対象物にも対応可能である。また、不特定の形状を有する対象容器にも適応可能であり、汎用性が高いものとなっている。
【０１３３】
また、器具自体の体積が小さいため、持ち運びが容易であり、例えば、野外での調理作業等にも利用しやすいものとなっている。また、使用後の洗浄や保管の手間が少ない利点も有する。また、両面使用可能な構造にすることで耐久性を高めることができる。
【０１３４】
このように、本発明を適用した容器補助器具は効率よく濾過作業等を行うことができ、使い勝手のよいものとなっている。
また、本発明を適用した濾過補助器具は効率よく濾過作業等を行うことができ、使い勝手のよいものとなっている。
また、本発明を適用した濾過方法は効率よく濾過作業等を行うことができ、使い勝手のよいものとなっている。
【符号の説明】
【０１３５】
１      仕切り器具
２      基盤
３      外片部
４      連結部
５      基盤外縁部
６      孔
７      切れ込み
８      端部孔
９      縁部
１０      間隙
１１      容器挟持部
１２      間隙
１３      間隙
１４      外片部の一部
１５      引っ掛かり部
１６      縁部
１７      仕切り器具
１８      基盤外縁部
１９      容器挟持部
２０      仕切り器具
２１      外片部
２２      縁部
２３      間隙
２４      基盤外縁部の略中央部
２５      容器挟持部
２６      間隙
２７      外片部の一部
２８      容器
２９      容器の側面上端
３０      基盤の上方部付近
３１      基盤外縁部が内側面にあたる位置
３２      容器挟持部が外側面にあたる位置
３３      米
３４      水
３５      仕切り器具
３６      基盤
３７      外片部
３８      容器
３９      仕切り器具
４０      くぼみ
４１      仕切り器具
４２      突出部
４３      鍋
４４      段差
４５      ふち
４６      仕切り器具
４７      リブ
４８      基盤
４９      容器挟持部
５０      へこみ部
５１      仕切り器具
５２      基盤
５３      濾物洗浄用の孔
５４      楕円
５５      楕円
５６      楕円
５７      仕切り器具
５８      間隙
５９      基盤外縁部
６０      縁部
６１      基盤
６２      中央部分
６３      基盤上部側の領域
６４      領域
【要約】本発明を適用した容器補助器具の一例である仕切り器具１は、基盤２と、外片部３を備えている。また、基盤２と外片部３は連結部４で連結されている。基盤２は容器に取り付けた際に、容器内部の空間に位置し、容器内部の濾過のための空間を形成する。また、味噌等の対象物を保持する部分にもなる。また、基盤２の外片部３と対向する端部が基盤外縁部５となっている。【図１】
0005639316.tif 000002
【図２】
0005639316.tif 000003
【図３】
0005639316.tif 000004
【図４】
0005639316.tif 000005
【図５】
0005639316.tif 000006
【図６】
0005639316.tif 000007
【図７】
0005639316.tif 000008
【図８】
0005639316.tif 000009
【図９】
0005639316.tif 000010
【図１０】
0005639316.tif 000011
【図１１】
0005639316.tif 000012
【図１２】
0005639316.tif 000013